【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】
【請求項１】  （ａ）配列番号１に示したアミノ酸配列と、
（ｂ）配列番号１に示したアミノ酸配列の対立遺伝子変異体のアミノ酸配列と、
（ｃ）配列番号１に示したアミノ酸配列の配列変異体のアミノ酸配列であって、該配列変異体は、ストリンジェントな条件下で、配列番号２に示した核酸分子にハイブリダイゼーションする核酸分子によりコードされることを特徴とするアミノ酸配列と、
（ｄ）配列番号１に示した、アミノ酸約６番目からアミノ酸約３５９番目までの成熟受容体ポリペプチドのアミノ酸配列と、
（ｅ）アミノ酸約１番目からアミノ酸約２３番目までの、配列番号１に示したポリペプチドのアミノ酸配列と、
（ｆ）ポリペプチド（ａ）〜（ｅ）のいずれか１つのエピトープ含有領域のアミノ酸配列と
からなる群から選択されるアミノ酸配列を有する単離ポリペプチド。
【請求項２】  請求項１のポリペプチドの（ａ）〜（ｆ）に選択的に結合する単離抗体。
【請求項３】  （ａ）配列番号２に示したヌクレオチド配列と、
（ｂ）配列番号１に示したアミノ酸配列をコードするヌクレオチド配列と、
（ｃ）（ａ）または（ｂ）のヌクレオチド配列のいずれかに相補的なヌクレオチド配列と
からなる群から選択されるヌクレオチド配列を有する単離核酸分子。
【請求項４】  （ａ）ストリンジェントな条件下で、配列番号２に示したヌクレオチド配列にハイブリダイゼーションする、配列番号１に示したアミノ酸配列の配列変異体のアミノ酸配列をコードするヌクレオチド配列と、
（ｂ）（ａ）のヌクレオチド配列に相補的なヌクレオチド配列と
からなる群から選択されるヌクレオチド配列を有する単離核酸分子。
【請求項５】  （ａ）配列番号１に示したアミノ酸１０７〜３５９番目のアミノ酸配列の断片をコードするヌクレオチド配列であって、該断片は、少なくとも７個の連続したアミノ酸を含むことを特徴とするヌクレオチド配列と、
（ｂ）（ａ）のヌクレオチド配列に相補的なヌクレオチド配列と
からなる群から選択されるヌクレオチド配列を有する単離核酸分子。
【請求項６】  請求項３〜５のいずれかの核酸配列を含む核酸ベクター。
【請求項７】  請求項６のベクターを含む宿主細胞。
【請求項８】  （ａ）〜（ｆ）のポリペプチド配列のいずれかをコードするヌクレオチド配列を宿主細胞に導入するステップと、タンパク質が核酸から発現される条件下で宿主細胞を培養するステップとを含む請求項１のポリペプチドのいずれかを製造する方法。
【請求項９】  サンプル中の請求項１のポリペプチドのいずれかの存在を検出する方法であって、前記サンプルを、サンプル中のポリペプチドの存在を特異的に検出できる物質と接触させるステップと、次いでポリペプチドの存在を検出するステップとを含む方法。
【請求項１０】  上記物質は、上記ポリペプチドとの選択的な物理的結合が可能である請求項９の方法。
【請求項１１】  上記物質は、上記ポリペプチドに結合する請求項１０の方法。
【請求項１２】  上記物質は、抗体である請求項１１の方法。
【請求項１３】  上記物質は、リガンドである請求項１１の方法。
【請求項１４】  請求項９の方法に使用される試薬を含むキットであって、前記試薬は、上記ポリペプチドに特異的に結合する物質を含むことを特徴とするキット。
【請求項１５】  サンプル中の請求項３〜５のいずれかの核酸配列のいずれかの存在を検出する方法であって、サンプルを、ストリンジェントな条件下で核酸配列とハイブリダイゼーションするオリゴヌクレオチドと接触させるステップと、オリゴヌクレオチドがサンプル中の核酸配列に結合するかどうかを決定するステップとを含む方法。
【請求項１６】  存在を検出する核酸は、ｍＲＮＡである請求項１５の方法。
【請求項１７】  請求項１５の方法に使用する試薬を含むキットであって、前記試薬は、ストリンジェントな条件下で核酸分子のいずれかにハイブリダイゼーションする化合物を含むキット。
【請求項１８】  請求項１のポリペプチドのいずれかに結合する物質を同定する方法であって、ポリペプチドを、前記ポリペプチドに結合する物質と接触させるステップと、前記ポリペプチドに結合した物質により形成された複合体をアッセイするステップとを含む方法。
【請求項１９】  請求項１のいずれかのポリペプチドの活性を調節する方法であって、請求項１のポリペプチドのいずれかを、物質がポリペプチドの活性を調節できる条件下で、前記物質と接触させることを含む方法。
【請求項２０】  上記調節は、ＣＤ３４＋骨髄細胞、及びＣＤ４Ｔリンパ球、およびＣＤ８Ｔリンパ球からなる群から選択した組織から得られる細胞で行われる請求項１９の方法。
【請求項２１】  上記リンパ球は、ＣＤ８Ｔ細胞またはＣＤ４Ｔ細胞である請求項２０の方法。
【請求項２２】  上記骨髄細胞は、ＣＤ３４+細胞である請求項２０の方法。
【請求項２３】  上記調節は、ＣＤ８Ｔ細胞、ＣＤ４Ｔ細胞、またはＣＤ３４+骨髄細胞に関する疾患に罹患した患者で行われる請求項１９の方法。
【請求項２４】  上記疾患は、血小板減少症または炎症に関する請求項２３に記載の方法。
【手続補正２】
【補正対象書類名】明細書
【補正対象項目名】００１４
【補正方法】変更
【補正の内容】
【００１４】
本発明は、配列番号１に示すアミノ酸配列を有するポリペプチドを含む単離１４４００受容体ポリペプチドを提供する。
【手続補正３】
【補正対象書類名】明細書
【補正対象項目名】００１５
【補正方法】変更
【補正の内容】
【００１５】
本発明はまた、配列番号２に示される配列を有する、単離１４４００受容体核酸分子を提供する。
【手続補正４】
【補正対象書類名】明細書
【補正対象項目名】００１６
【補正方法】変更
【補正の内容】
【００１６】
本発明はまた、配列番号１に示されるアミノ酸配列と実質的に相同なアミノ酸配列を有する変異体ポリペプチドを提供する。
【手続補正５】
【補正対象書類名】明細書
【補正対象項目名】００１７
【補正方法】変更
【補正の内容】
【００１７】
本発明はまた、配列番号２に示されるヌクレオチド配列と実質的に相同な変異体核酸配列を提供する。
【手続補正６】
【補正対象書類名】明細書
【補正対象項目名】００３１
【補正方法】変更
【補正の内容】
【００３１】
したがって、本発明は、図１（配列番号１）に記載の推定アミノ酸配列を有する新規のＧＰＣＲに関する。
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】変更
【補正の内容】
【００３３】
「１４４００受容体ポリペプチド」または「１４４００受容体タンパク質」は、配列番号１に記載のポリペプチドをいう。しかし、用語「受容体ポリペプチド」は、本明細書中に記載の多数の変異体ならびに全長１４４００ポリペプチドおよび変異体由来のフラグメントをさらに含む。
【手続補正９】
【補正対象書類名】明細書
【補正対象項目名】０１５３
【補正方法】変更
【補正の内容】
【０１５３】
ポリヌクレオチド
【手続補正１０】
【補正対象書類名】明細書
【補正対象項目名】０１５７
【補正方法】変更
【補正の内容】
【０１５７】
本発明は、１４４００受容体タンパク質をコードする単離されたポリヌクレオチドを提供する。用語「１４４００ポリヌクレオチド」または「１４４００核酸」とは、配列番号２で示された配列をいう。用語「受容体ポリヌクレオチド」または「受容体核酸」は、さらに、１４４００ポリヌクレオチドの変異体および断片を含む。
【手続補正１１】
【補正対象書類名】図面
【補正対象項目名】図２
【補正方法】変更
【補正の内容】
【図２】
2003532369.tif 000001